(57)【要約】【課題】各分岐フィーダ毎に電圧センサを直流配電盤内に設けなくて済むようにすることで直流配電盤の小型化を図り、複数の直流配電盤からなる直流配電盤システムの構築費用を低廉化する。【解決手段】複数の直流配電盤１０ａ，１０ｂ，・・・１０ｚの一つがその対応する分岐フィーダの電圧を検出する直流電圧センサ６を有し、複数の直流配電盤の全てがその対応する分岐フィーダ３ａ，３ｂ，・・・３ｚの電流を検出する直流電流センサ７ａ，７ｂ，・・・７ｚを有し、複数の直流配電盤の全ての保護計測装置８ａ，８ｂ，・・・８ｚが演算した電力および電力量のデータが当該保護計測装置から監視制御装置９へ伝送され、複数の前記分岐フィーダの直流負荷が使用している電力および電力量が監視制御装置で一括して監視される。【選択図】図１
2014003729.tif 000002
【特許請求の範囲】
【請求項１】
直流母線から分岐しそれぞれ遮断器を介して直流負荷が接続された複数の分岐フィーダの各々に対応して設置され対応する前記遮断器を内蔵した複数の直流配電盤からなる直流配電盤システムにおいて、
前記複数の直流配電盤の一つがその対応する前記分岐フィーダの電圧を検出する直流電圧センサを有し、
前記複数の直流配電盤の全てがその対応する前記分岐フィーダの電流を検出する直流電流センサを有し、
前記複数の直流配電盤の全てがその対応する前記分岐フィーダの電流および電圧の異常を検出して当該対応する分岐フィーダの前記遮断器をトリップする保護機能を有する保護計測装置を有し、
前記直流電圧センサで検出された電圧のデータが、前記直流電圧センサを有さない前記直流配電盤の前記保護計測装置へ伝送され、
前記複数の直流配電盤の全ての前記保護計測装置が、対応する前記直流電流センサで検出された電流のデータと前記電圧のデータとから、対応する前記分岐フィーダの前記直流負荷が使用している電力および電力量を演算し、
前記複数の直流配電盤の全ての前記保護計測装置が演算した前記電力および電力量のデータが当該保護計測装置から監視制御装置へ伝送され、前記複数の前記分岐フィーダの前記直流負荷が使用している電力および電力量が前記監視制御装置で一括して監視される
ことを特徴とする直流配電盤システム。
【請求項２】
請求項１に記載の直流配電盤システムにおいて、
前記監視制御装置が伝送親局を有し、前記電圧のデータが、前記直流電圧センサを有する前記直流配電盤の前記保護計測装置から前記伝送親局へ伝送され、
前記伝送親局へ伝送された前記電圧のデータが、前記直流電圧センサを有していない前記直流配電盤の前記保護計測装置へ前記伝送親局から伝送され、
前記直流電圧センサを有していない前記直流配電盤の前記保護計測装置では、対応する分岐フィーダの電流のデータと前記伝送親局から伝送された前記電圧のデータとから、対応する前記分岐フィーダの前記直流負荷が使用している電力および電力量を演算する
ことを特徴とする直流配電盤システム。
【請求項３】
直流母線から分岐しそれぞれ遮断器を介して直流負荷が接続された複数の分岐フィーダの各々に対応して設置され対応する前記遮断器を内蔵した複数の直流配電盤からなる直流配電盤システムにおいて、
前記複数の直流配電盤の一つがその対応する前記分岐フィーダの電圧を検出する直流電圧センサを有し、
前記複数の直流配電盤の全てがその対応する前記分岐フィーダの電流を検出する直流電流センサを有し、
前記複数の直流配電盤の全てがその対応する前記分岐フィーダの電流および電圧の異常を検出して当該対応する分岐フィーダの前記遮断器をトリップする保護機能を有する保護計測装置を有し、
前記直流電圧センサで検出された電圧のデータおよび前記直流電流センサで検出された前記複数の分岐フイーダの各電流のデータの何れも監視制御装置へ伝送され、
前記監視制御装置が、前記直流電流センサで検出された電流のデータと前記電圧のデータとから、前記複数の分岐フィーダの前記直流負荷の各々が使用している電力および電力量を演算し、
前記監視制御装置が演算した前記電力および電力量のデータにより、前記複数の前記分岐フィーダの前記直流負荷が使用している電力および電力量が前記監視制御装置で一括して監視される
ことを特徴とする直流配電盤システム。
【請求項４】
請求項３に記載の直流配電盤システムにおいて、
前記監視制御装置が伝送親局を有し、前記電圧のデータおよび前記複数の分岐フィーダの各々の前記電流のデータを、前記伝送親局が採取する
ことを特徴とする直流配電盤システム。
【請求項５】
直流母線から分岐しそれぞれ遮断器を介して直流負荷が接続された複数の分岐フィーダの各々に対応して設置され対応する前記遮断器を内蔵した複数の直流配電盤からなる直流配電盤システムにおいて、
前記直流母線の電圧を検出する直流電圧センサを有し、
前記複数の直流配電盤の全てがその対応する前記分岐フィーダの電流を検出する直流電流センサを有し、
前記複数の直流配電盤の全てがその対応する前記分岐フィーダの電流および電圧の異常を検出して当該対応する分岐フィーダの前記遮断器をトリップする保護機能を有する保護計測装置を有し、
前記直流電圧センサで検出された電圧のデータが、前記複数の直流配電盤の前記保護計測装置へ伝送され、
前記複数の直流配電盤の全ての前記保護計測装置が、対応する前記直流電流センサで検出された電流のデータと前記電圧のデータとから、対応する前記分岐フィーダの前記直流負荷が使用している電力および電力量を演算し、
前記複数の直流配電盤の全ての前記保護計測装置が演算した前記電力および電力量のデータが当該保護計測装置から監視制御装置へ伝送され、前記複数の前記分岐フィーダの前記直流負荷が使用している電力および電力量が前記監視制御装置で一括して監視される
ことを特徴とする直流配電盤システム。
【請求項６】
請求項５に記載の直流配電盤システムにおいて、
前記監視制御装置が伝送親局を有し、前記電圧のデータが、前記直流電圧センサから前記伝送親局へ伝送され、
前記伝送親局へ伝送された前記電圧のデータが、前記複数の直流配電盤の前記保護計測装置の全てへ前記伝送親局から伝送され、
前記全ての前記保護計測装置で、対応する分岐フィーダの電流のデータと前記伝送親局から伝送された前記電圧のデータとから、対応する前記分岐フィーダの前記直流負荷が使用している電力および電力量を演算する
ことを特徴とする直流配電盤システム。
【請求項７】
直流母線から分岐しそれぞれ遮断器を介して直流負荷が接続された複数の分岐フィーダの各々に対応して設置され対応する前記遮断器を内蔵した複数の直流配電盤からなる直流配電盤システムにおいて、
前記直流母線の電圧を検出する直流電圧センサを有し、
前記複数の直流配電盤の全てがその対応する前記分岐フィーダの電流を検出する直流電流センサを有し、
前記複数の直流配電盤の全てがその対応する前記分岐フィーダの電流および電圧の異常を検出して当該対応する分岐フィーダの前記遮断器をトリップする保護機能を有する保護計測装置を有し、
前記直流電圧センサで検出された電圧のデータおよび前記直流電流センサで検出された前記複数の分岐フイーダの各電流のデータの何れも監視制御装置へ伝送され、
前記監視制御装置が、前記直流電流センサで検出された電流のデータと前記電圧のデータとから、前記複数の分岐フィーダの前記直流負荷の各々が使用している電力および電力量を演算し、
前記監視制御装置が演算した前記電力および電力量のデータにより、前記複数の前記分岐フィーダの前記直流負荷が使用している電力および電力量が前記監視制御装置で一括して監視される
ことを特徴とする直流配電盤システム。
【請求項８】
請求項７に記載の直流配電盤システムにおいて、
前記監視制御装置が伝送親局を有し、前記電圧のデータおよび前記複数の分岐フィーダの各々の前記電流のデータを、前記伝送親局が採取する
ことを特徴とする直流配電盤システム。
【発明の詳細な説明】
【技術分野】
【０００１】
この発明は、直流母線から分岐した複数のフィーダの直流負荷の使用電力の監視に供する直流配電盤システムに関するものである。
【背景技術】
【０００２】
従来の電力、電力量を一括監視する直流配電盤システムにおいては、交流配電盤システムの電圧信号・電流信号間の位相同期を考慮したシステム構成と同じシステム構成とする場合が多く、一般的には、各分岐フィーダ毎に直流電圧を計測するために、各分岐フィーダ毎に直流電圧センサを設け、その電圧信号と各分岐フィーダ毎の電流データとを元に、電力、電力量を計測する必要であった。
つまり、図５に示すように、各分岐フィーダ３ａ，３ｂ，・・・３ｚ毎に直流電圧センサ６ａ，６ｂ，・・・６ｚ、直流電流センサ７ａ，７ｂ，・・・７ｚを設け、その各センサ信号は、各分岐フィーダ３ａ，３ｂ，・・・３ｚ毎に設けられた保護計測装置８ａ，８ｂ，・・・８ｚ内の電圧の信号変換手段８１、電流の信号変換手段８２によって、信号処理が可能な電圧レベルに変換され、変換された信号は、Ａ／Ｄ（アナログーデジタル）変換手段によって、デジタル信号に変換される。それぞれの信号は保護計測装置８ａ，８ｂ，・・・８ｚ毎に一定間隔でサンプリングされ、保護計測装置８ａ，８ｂ，・・・８ｚ毎に演算手段８４で一定数のサンプリングデータを加算し、サンプリング数によって除算しデータを平均化する。電力計測を行うためには、平均化された電圧、電流データを積算することで電力データとなる。電力量を算出するには、電力データを一定時間で積算することで電力量を演算することで算出する。
保護計測装置８ａ，８ｂ，・・・８ｚ毎に演算手段８４で演算された、電力、電力量値は、伝送手段１０を介し監視制御装置９へ伝送され、監視制御装置９で電力、電力量値を一括監視する。
【０００３】
なお、交流系統における配電盤の電気計測装置の先行技術文献としては、以下の特許文献１がある。
【先行技術文献】
【特許文献】
【０００４】
【特許文献１】特開２００２−１１２４１１号公報
【発明の概要】
【発明が解決しようとする課題】
【０００５】
図５に示す直流配電盤システムにおいては、各分岐フィーダ３ａ，３ｂ，・・・３ｚ毎に直流電圧センサ６ａ，６ｂ，・・・６ｚ、直流電流センサ７ａ，７ｂ，・・・７ｚを設け、その各センサ信号は、各分岐フィーダ３ａ，３ｂ，・・・３ｚ毎に設けられた保護計測装置８ａ，８ｂ，・・・８ｚ内の電圧の信号変換手段８１、電流の信号変換手段８２によって、信号処理が可能な電圧レベルに変換され、変換された信号は、Ａ／Ｄ（アナログーデジタル）変換手段によって、デジタル信号に変換され、それぞれの信号は保護計測装置８ａ，８ｂ，・・・８ｚ毎に一定間隔でサンプリングされ、保護計測装置８ａ，８ｂ，・・・８ｚ毎に、保護計測装置８ａ，８ｂ，・・・８ｚの各々の演算手段８４で一定数のサンプリングデータを加算し、当該演算手段８４でサンプリング数によって除算しデータを平均化し、当該演算手段８４で平均化された電圧、電流データを積算することで電力データとし、電力データを一定時間で積算することで電力量を演算し、保護計測装置８ａ，８ｂ，・・・８ｚ毎に演算手段８４で演算された電力、電力量値が、伝送手段１１を介し監視制御装置９へ伝送され、監視制御装置９で電力、電力量値を一括監視するシステ
ムであるので、各分岐フィーダ３ａ，３ｂ，・・・３ｚ毎に電圧センサ、電流センサが必要であると共に、保護計測装置内に電圧の信号変換手段、電力（Ｗ）および電力量（ＷＨ）を演算する演算手段が必要となり、システム構築費用が高価になっていた。
【０００６】
この発明は、前述のような実情に鑑みてなされたもので、各分岐フィーダ毎に電圧センサを直流配電盤内に設けなくて済むようにすることで直流配電盤の小型化を図り、複数の直流配電盤からなる直流配電盤システムの構築費用を低廉化することを目的とするものである。
また、各分岐フィーダ毎に直流配電盤内の演算装置で電力および電力量を演算しなくて済むようにすることで直流配電盤の小型化を図り、複数の直流配電盤からなる直流配電盤システムの構築費用を低廉化することを目的とするものである。
【課題を解決するための手段】
【０００７】
この発明に係る直流配電盤システムは、
直流母線から分岐しそれぞれ遮断器を介して直流負荷が接続された複数の分岐フィーダの各々に対応して設置され対応する前記遮断器を内蔵した複数の直流配電盤からなる直流配電盤システムにおいて、
前記複数の直流配電盤の一つがその対応する前記分岐フィーダの電圧を検出する直流電圧センサを有し、
前記複数の直流配電盤の全てがその対応する前記分岐フィーダの電流を検出する直流電流センサを有し、
前記複数の直流配電盤の全てがその対応する前記分岐フィーダの電流および電圧の異常を検出して当該対応する分岐フィーダの前記遮断器をトリップする保護機能を有する保護計測装置を有し、
前記直流電圧センサで検出された電圧のデータが、前記直流電圧センサを有さない前記直流配電盤の前記保護計測装置へ伝送され、
前記複数の直流配電盤の全ての前記保護計測装置が、対応する前記直流電流センサで検出された電流のデータと前記電圧のデータとから、対応する前記分岐フィーダの前記直流負荷が使用している電力および電力量を演算し、
前記複数の直流配電盤の全ての前記保護計測装置が演算した前記電力および電力量のデータが当該保護計測装置から監視制御装置へ伝送され、前記複数の前記分岐フィーダの前記直流負荷が使用している電力および電力量が前記監視制御装置で一括して監視される
ものである。
【発明の効果】
【０００８】
この発明は、直流母線から分岐しそれぞれ遮断器を介して直流負荷が接続された複数の分岐フィーダの各々に対応して設置され対応する前記遮断器を内蔵した複数の直流配電盤からなる直流配電盤システムにおいて、前記複数の直流配電盤の一つがその対応する前記分岐フィーダの電圧を検出する直流電圧センサを有し、前記複数の直流配電盤の全てがその対応する前記分岐フィーダの電流を検出する直流電流センサを有し、前記複数の直流配電盤の全てがその対応する前記分岐フィーダの電流および電圧の異常を検出して当該対応する分岐フィーダの前記遮断器をトリップする保護機能を有する保護計測装置を有し、前記直流電圧センサで検出された電圧のデータが、前記直流電圧センサを有さない前記直流配電盤の前記保護計測装置へ伝送され、前記複数の直流配電盤の全ての前記保護計測装置が、対応する前記直流電流センサで検出された電流のデータと前記電圧のデータとから、対応する前記分岐フィーダの前記直流負荷が使用している電力および電力量を演算し、前記複数の直流配電盤の全ての前記保護計測装置が演算した前記電力および電力量のデータが当該保護計測装置から監視制御装置へ伝送され、前記複数の前記分岐フィーダの前記直流負荷が使用している電力および電力量が前記監視制御装置で一括して監視されるので、各分岐フィーダ毎に電圧センサを直流配電盤のそれぞれに内蔵しなくて済むと共に、複数
の分岐フィーダ毎の直流配電盤のうち、電圧センサを内蔵する直流配電盤以外の、電圧センサを内蔵しない複数の直流配電盤は何れも同一構成同一機能とすることができ、複数の直流配電盤からなる直流配電盤システムの構築費用を低廉化することができる効果がある。
【図面の簡単な説明】
【０００９】
【図１】この発明の実施の形態１および実施の形態２に適用する直流配電盤システムのシステム構成の一例を示す接続図である。
【図２】この発明の実施の形態１を示す図で、図１における電圧、電流、データ平均周期、ポーリング周期の関係を例示する図である。
【図３】この発明の実施の形態３を示す図で、直流配電盤システムのシステム構成の他の例を示す接続図である。
【図４】この発明の実施の形態４を示す図で、直流配電盤システムのシステム構成の更に他の例を示す接続図である。
【図５】従来の直流配電盤システムのシステム構成の例を示す図である。
【発明を実施するための形態】
【００１０】
実施の形態１．
以下この発明の実施の形態１を図１および図２により説明する。図１は直流配電盤システムのシステム構成の一例を示す接続図、図２は図１における電圧、電流、データ平均周期、ポーリング周期の関係を例示する図である。
【００１１】
図１において、交流電力系統（図示省略）の交流電力を交直変換器１で直流電力に変換して当該直流電力が直流母線２に供給される。直流母線２には図示のように複数の分岐フィーダ３ａ，３ｂ，・・・３ｚが接続され、分岐フィーダ３ａ，３ｂ，・・・３ｚの各々には遮断器４ａ，４ｂ，・・・４ｚを介してデータセンタ（各種電子データの保存センタ）等の直流負荷５ａ，５ｂ，・・・５ｚが接続されている。
【００１２】
複数の分岐フィーダ３ａ，３ｂ，・・・３ｚの各々には、前記遮断器４ａ，４ｂ，・・・４ｚを含む直流配電盤１０ａ，１０ｂ，・・・１０ｚが設置されており、これら複数の直流配電盤１０ａ，１０ｂ，・・・１０ｚのうち、一つの分岐フィーダ３ａに対応する直流配電盤１０ａだけが、当該分岐フィーダ３ａの電圧を検出する直流電圧センサ６を内蔵し、他の分岐フィーダ３ｂ，・・・３ｚに対応する直流配電盤１０ｂ，・・・１０ｚには、対応する分岐フィーダ３ｂ，・・・３ｚの電圧を検出する直流電圧センサは設置されていない。
【００１３】
直流電流を検出する直流電流センサ７ａ，７ｂ，・・・７ｚは、図示のように複数の分岐フィーダ３ａ，３ｂ，・・・３ｚの各々に設置され、対応する直流配電盤１０ａ，１０ｂ，・・・１０ｚに内蔵されている。
また、直流配電盤１０ａ，１０ｂ，・・・１０ｚの各々には、対応する分岐フィーダ３ａ，３ｂ，・・・３ｚの異常時に対応する遮断器４ａ，４ｂ，・・・４ｚをトリップ遮断する保護機能と計測機能とを併せ持つ保護計測装置８ａ，８ｂ，・・・８ｚが内蔵されている。
ここで、前記直流配電盤１０ａに内蔵の保護計測装置８ａは対応する分岐フィーダ３ａの電圧と電流とを直流電圧センサ６および直流電流センサ７ａを介して計測し、前記他の直流配電盤１０ｂ，・・・１０ｚに内蔵の保護計測装置８ｂ，・・・８ｚは電圧を計測することなく対応する分岐フィーダ３ｂ，・・・３ｚの電流だけを対応する直流電流センサ７ｂ，・・・７ｚを介して計測する。
【００１４】
前記直流配電盤１０ａに内蔵の保護計測装置８ａは、直流電圧センサ６の出力を計測できるレベルの電圧に変換する電圧信号変換手段８１と、直流電流センサ７ａの出力を計測できるレベルの電圧に変換する電流信号変換手段８２と、電圧信号変換手段８１の出力であるアナログ信号および電流信号変換手段８２の出力であるアナログ信号をデジタル信号に変換するＡ／Ｄ変換手段８３と、サンプリングした電圧のデジタルサンプリング値およびサンプリングした電流のデジタルサンプリング値の各々の平均化処理の演算を行う演算手段８４と、この演算手段８４の演算結果である電圧および電流の各平均化データを外部に送信する伝送手段８５とを有している。なお、分岐フィーダ３ａの異常時に対応する遮断器４ａをトリップ遮断する保護機能を司る保護機能部については図示を省略してある。
平均化処理の具体的な方式は、電圧信号、電流信号がそれぞれ一定間隔でサンプリングされ、それぞれ一定数のサンプリングデータを加算し、それぞれサンプリング数によって除算しデータを平均化する。
【００１５】
他の分岐フィーダ３ｂ，・・・３ｚに対応する直流配電盤１０ｂ，・・・１０ｚには何れにも直流電圧センサ６および直流電圧センサの出力を計測できるレベルの電圧に変換する電圧信号変換手段は設けられておらず、それらの保護計測装置８ｂ，・・・８ｚは、何れも直流電流センサ７ｂ，・・・７ｚの出力を計測できるレベルの電圧に変換する電流信号変換手段８２と、電流信号変換手段８２の出力であるアナログ信号をデジタル信号に変換するＡ／Ｄ変換手段８３と、サンプリングした電流のデジタルサンプリング値の各々の平均化処理の演算を行う演算手段８４と、この演算手段８４の演算結果である電流の各平均化データを外部に送信する伝送手段８５とを有し、何れも内部構成および機能は同じである。なお、保護計測装置８ｂ，・・・８ｚの何れについても、対応する分岐フィーダ３ｂ，・・・３ｚの異常時に対応する遮断器４ｂ，・・・４ｚをトリップ遮断する保護機能を司る保護機能部については、図示を省略してある。
平均化処理の具体的な方式は、電流信号が一定間隔でサンプリングされ、一定数のサンプリングデータを加算し、サンプリング数によって除算しデータを平均化する。
【００１６】
電力計測を行うには、平均化された電圧データと平均化された電流データとを積算する演算を行うことで電力データが得られる。
電力量を算出するには、前記電力データを一定時間で積算する演算を行うことで電力量データが得られる。
【００１７】
本実施の形態１では、分岐フィーダ３ａの直流配電盤１０ａにおける保護計測装置８ａの演算手段８４で平均化された電圧データは、ポーリング伝送方式により、監視制御装置９の伝送親局９１によって伝送線１１経由で定期的に採取される。
伝送親局９１は、採取した前記平均化された直流母線電圧データを、ポーリング伝送方式により、伝送線１１経由で保護計測装置８ｂ，・・・８ｚへ定期的にデータを送信する。
保護計測装置８ｂ，・・・８ｚでは、伝送された平均化された直流母線電圧と、先に平均化された電流データとから、平均化された直流母線電圧データと平均化された電流データとの積算によって、電力値の電力データを生成し、この生成された電力データを一定時間で加算することで電力量データを生成する。
分岐フィーダ３ａ，３ｂ，・・・３ｚ毎にその保護計測装置８ａ，８ｂ，・・・８ｚで生成された電力データおよび電力量データは、伝送線１１を介し、監視制御装置９へ送信され、監視制御装置９にて、各分岐フィーダ３ａ，３ｂ，・・・３ｚの直流負荷５ａ，５ｂ，・・・５ｚの使用電力、使用電力量の一括監視を行う。
【００１８】
直流電圧、直流電流、データ平均周期、伝送ポーリング周期の関係は、例えば図２に例示のようになる。
【００１９】
即ち、保護計測装置8aの電圧データ平均タイミングはVa1、Va2、・・・Van、Van+1のタイミングにて、保護計測装置8aにおいて、電圧データに対して前出の平均処理を実行して算出されている。
【００２０】
電圧データ平均周期a1、a2、a3は、電圧データ取得タイミングPa1、Pa2、Pa3、Pa4、Pa5の直前の電圧データ平均タイミングとしており、例えば、電圧データ取得タイミングPa2では、保護計測装置の電圧データ平均タイミングのVa2からVa4までの期間の電圧データを平均化したものを平均電圧データとし、伝送経由で電圧データ取得タイミングPa2にて伝
送親局へ送信される。
【００２１】
電圧データ平均タイミングt1は間隔が短いほど、電圧データ平均周期a1、a2、a3の時間差バラツキが小さくなるため、約16〜100ms間隔としている。
例えば、電圧データ平均タイミングt1の間隔を長くすると、ポーリング周期t2間に電圧データ平均タイミングが2回または3回発生するように出来る。この場合、電圧データ平均タイミングのバラツキは最大２／３の約33%の誤差が発生するが、一方、電圧データ平均
タイミングt1の間隔を短くすると、ポーリング周期t2間に電圧データ平均タイミングが例えば9回または10回程度発生するように出来る。この場合、電圧データ平均タイミングのバラツキは最大9/10で約10%の誤差となり、誤差が小さくなる。
【００２２】
伝送親局では、取得した電圧データを、各保護計測装置8bから保護計測装置8zに対し送信する必要があるため、例えば、電圧データ子局送信タイミングPb1、Pb2のタイミングにて伝送親局から、各保護計測装置8a〜8zに対し送信割当指令が伝送経由で送信される。
【００２３】
電圧データ送信を伝送親局が保護計測装置8aに指令し、保護計測装置8aが送信するまでの所要時間はtdaとなる。保護計測装置によって、所要時間は異なる。
保護計測装置8aの所要時間tdaと同様の所要時間は、保護計測装置8a、8b、・・・8zの台数分（tda、tdb、…tdz）発生し、この合計時間(tda+tdb+…+tdz)をポーリング周期t2とするので、所要時間を短くすることで、ポーリング周期t2を短くすることが可能である。ポーリング周期t2は短いほど電圧データの伝達遅れが短くなり、電力計測精度が向上するが、極端に短いと伝送路が混雑しトラフィックが高くなり、伝送異常が発生するため、ここでは約100msとしている。
【００２４】
伝送親局から保護計測装置8bに送信された電圧データを、保護計測装置8bでは、電圧データとして用いる。
保護計測装置8bでは、電流を図のAb1、Ab2、・・・・Abn、Abn+1のタイミングで演算をおこない、電流計測値を算出する。
【００２５】
ｔ3は電流計測の演算周期である。
それらの電流計測値と電圧データでもって、電力演算された電力、電力量演算が行われる。
電力、電力量データは親局から電力、電力量計測値の要求があった際に、保護計測装置8bから親局へ送信される。
【００２６】
本実施の形態１によれば、各分岐フィーダ３ａ，３ｂ，・・・３ｚ毎に電圧センサを直流配電盤１０ａ，１０ｂ，・・・１０ｚのそれぞれに内蔵しなくて済むと共に、複数の分岐フィーダ３ａ，３ｂ，・・・３ｚ毎の直流配電盤１０ａ，１０ｂ，・・・１０ｚのうち、電圧センサ６を内蔵する直流配電盤１０ａ以外の、電圧センサを内蔵しない複数の直流配電盤１０ｂ，・・・１０ｚは何れも同一構成同一機能とすることができ、複数の直流配電盤からなる直流配電盤システムの構築費用を低廉化することができる。
【００２７】
実施の形態２．
本実施の形態２は、図１において、前述の実施の形態１とは異なり、各分岐フィーダ３ａ，３ｂ，・・・３ｚの各直流配電盤１０ａ，１０ｂ，・・・１０ｚにおける各保護計測装置８ａ，８ｂ，・・・８ｚでは電力の演算、電力量の演算を行わずに、各保護計測装置８ａ，８ｂ，・・・８ｚでは平均化電流の演算をして平均化電流データを生成して当該平均化電流データを監視制御装置９の伝送親局９１へ伝送し、保護計測装置８ａから伝送されてきた平均化電流データと、各保護計測装置８ａ，８ｂ，・・・８ｚから伝送されてきた平均化電流データとから、各分岐フィーダ３ａ，３ｂ，・・・３ｚの直流負荷５ａ，５ｂ，・・・５ｚの使用電力、使用電力量を監視制御装置９のＣＰＵ９２で演算して、各分岐フィーダ３ａ，３ｂ，・・・３ｚ毎の使用電力データおよび使用電力量データを生成し、これら生成した使用電力データおよび使用電力量データにより各分岐フィーダ３ａ，３ｂ，・・・３ｚの直流負荷５ａ，５ｂ，・・・５ｚの使用電力、使用電力量の一括監視を行うものである。
【００２８】
この実施の形態２によれば、各分岐フィーダ毎に直流配電盤内の演算装置で電力および電力量を演算しなくて済むようにすることで直流配電盤の小型化を図り、複数の直流配電盤からなる直流配電盤システムの構築費用を低廉化することができる。
【００２９】
実施の形態３．
本実施の形態３は、図３に例示のように、図１とは異なり、直流電圧センサ６を直流配電盤１０ａには設けずに直流母線２に接続して直流配電盤１０ａ，１０ｂ，・・・１０ｚとは独立して設置し、その電圧出力は、図１の電圧信号変換手段８１およびＡ／Ｄ変換手段８３と同じ機能を併せ持つ伝送手段１２から、監視制御装置９の伝送親局９１へ伝送するようにしたものである。
なお、電力データおよび電力量データの生成は、前述の実施の形態１および実施の形態２の何れの直流配電盤システムにおける生成と同じとしてもよい。
【００３０】
本実施の形態３によれば、各分岐フィーダ３ａ，３ｂ，・・・３ｚ毎に電圧センサを直流配電盤１０ａ，１０ｂ，・・・１０ｚのそれぞれに内蔵しなくて済むと共に、複数の分岐フィーダ３ａ，３ｂ，・・・３ｚ毎の直流配電盤１０ａ，１０ｂ，・・・１０ｚの何れも電圧センサを内蔵しない複数の直流配電盤１０ａ，１０ｂ，・・・１０ｚの全てを同一構成同一機能とすることができ、複数の直流配電盤からなる直流配電盤システムの構築費用を低廉化することができる。
【００３１】
実施の形態４．
本実施の形態４は、図４に例示のように、図３とは異なり、図３における親局装置９１を監視制御装置９に設けない事例であり、直流電圧センサ６を直流配電盤１０ａには設けずに直流母線２に接続して直流配電盤１０ａ，１０ｂ，・・・１０ｚとは独立して設置し、その電圧出力は、図１の電圧信号変換手段８１およびＡ／Ｄ変換手段８３と同じ機能を併せ持つ伝送手段１２から、監視制御装置９の伝送手段９３を介して監視制御装置９へ、あるいは各直流配電盤１０ａ，１０ｂ，・・・１０ｚの保護計測装置８ａ，８ｂ，・・・８ｚの各伝送手段８５を介して各保護計測装置８ａ，８ｂ，・・・８ｚへ、伝送するものである。
なお、電力データおよび電力量データの生成は、前述の実施の形態１および実施の形態２の何れの直流配電盤システムにおける生成と同じとしてもよい。
【００３２】
本実施の形態４によれば、各分岐フィーダ３ａ，３ｂ，・・・３ｚ毎に電圧センサを直流配電盤１０ａ，１０ｂ，・・・１０ｚのそれぞれに内蔵しなくて済むと共に、複数の分岐フィーダ３ａ，３ｂ，・・・３ｚ毎の直流配電盤１０ａ，１０ｂ，・・・１０ｚの何れも電圧センサを内蔵しない複数の直流配電盤１０ａ，１０ｂ，・・・１０ｚの全てを同一構成同一機能とすることができ、さらに監視制御装置９に親局装置を設けないので、複数
の直流配電盤からなる直流配電盤システムおよび監視制御装置の構築費用を低廉化することができる。
【００３３】
なお、本発明は、その発明の範囲内において、各実施の形態を適宜、変形、省略することができる。
なお、各図中、同一符合は同一または相当部分を示す。
【符号の説明】
【００３４】
１    交直変換器、
３ａ，３ｂ，・・・３ｚ    分岐フィーダ、
４ａ，４ｂ，・・・４ｚ    遮断器、
５ａ，５ｂ，・・・５ｚ    直流負荷、
６    直流電圧センサ、
７ａ，７ｂ，・・・７ｚ    直流電流センサ、
８ａ，８ｂ，・・・８ｚ    保護計測装置、
８１  電圧信号変換手段、
８２  電流信号変換手段、
８３  Ａ／Ｄ変換手段、
８４  演算手段、
８５  伝送手段、
９    監視制御装置、
９１  伝送親局、
９２  ＣＰＵ、
９３  伝送手段、
１０ａ，１０ｂ，・・・１０ｚ    直流配電盤、
１１  伝送線、
１２  伝送手段。
【図１】
2014003729.tif 000003
【図２】
2014003729.tif 000004
【図３】
2014003729.tif 000005
【図４】
2014003729.tif 000006
【図５】
2014003729.tif 000007